(57)【特許請求の範囲】
【請求項１】
天井部に設けた支持部と、
吊下コードを介して被吊下部材を吊り下げるとともに、前記支持部に対して水平方向に変位可能に支持された変位体と、
前記支持部と変位体との間に設けられ、同変位体の変位に対して抵抗力を付与する抵抗付与手段とを備え、
前記変位体は、球面状の凹状上面を有する構成であり、
前記抵抗付与手段は、前記変位体の凹状上面に沿って相対移動することにより抵抗を付与することを特徴とする天井部の吊下装置。
【請求項２】
前記支持部は、前記変位体を全水平方向に変位させることを特徴とする請求項１に記載の天井部の吊下装置。
【請求項３】
前記変位体は、球面状の凸状下面を有する構成であり、
前記支持部は、前記変位体が変位可能な状態にその凸状下面を支持する支持部材であることを特徴とする請求項１又は２に記載の天井部の吊下装置。
【発明の詳細な説明】
【技術分野】
【０００１】
この発明は、照明器具、スピーカ等の被吊下部材を天井部に吊り下げるための天井部の吊下装置に関するものであって、特に、地震や強風による建物の揺れや、波浪等による船舶の揺れ等による揺れを抑制するようにした天井部の吊下装置に関するものである。この明細書において、「天井部」とは、被吊下部材を吊り下げる部分を意味し、例えば、建物の部屋、廊下、ホール等や船舶内の部屋、廊下、ホール、デッキ等の天井部が該当する。
【背景技術】
【０００２】
従来、この種の技術としては、例えば特許文献１に開示されているような構成がある。この構成は、図１４（ａ）に示すように、建物の部屋等の天井部Ｃから吊り下げられる照明器具５０の吊下コードＷの途中にバランサー５１を設けたものである。バランサー５１は、図１４（ｂ）に示すように、その慣性力により地震時における照明器具５０の揺れを減衰させるようになっている。
【先行技術文献】
【特許文献】
【０００３】
【特許文献１】特開平９−３３０６０６号公報
【発明の概要】
【発明が解決しようとする課題】
【０００４】
しかしながら、上記特許文献１の技術では、吊下コードＷが天井部Ｃに直接固定されているため、地震による建物の横揺れが吊下コードＷ及びバランサー５１を介して照明器具５０に直接伝達される。このため、バランサー５１の固有振動数を外れた周波数の横揺れによって照明器具５０が大きく揺れることがあった。そして、照明器具５０が大きく揺れた場合は、照明器具が部屋の壁と衝突したりして、照明器具や壁が破損するおそれがあった。
【０００５】
この発明は、このような従来の技術に存在する問題点に着目してなされたものである。その目的は、建物等の揺れによる被吊下部材の揺れを有効に抑制することができる天井部の吊下装置を提供することにある。
【課題を解決するための手段】
【０００６】
上記の目的を達成するために、この発明は、天井部に設けた支持部と、吊下コードを介して被吊下部材を吊り下げるとともに、前記支持部に対して水平方向に変位可能に支持された変位体と、前記支持部と変位体との間に設けられ、同変位体の変位に対して抵抗力を付与する抵抗付与手段とを備え、前記変位体は、球面状の凹状上面を有する構成であり、前記抵抗付与手段は、前記変位体の凹状上面に沿って相対移動することにより抵抗を付与することを特徴とする。
【０００７】
従って、この発明の天井部の吊下装置においては、建物や船舶等の揺れにより部屋、廊下、ホール等の天井部が振幅で小刻みに横揺れした場合、変位体は、自身の慣性及び抵抗付与手段の抵抗力により定位置を保持する。この結果、変位体に吊下コードを介して吊り下げられている被吊下部材も定位置を保持する。
【０００８】
建物等が長周期振動により大きな振幅でゆっくり横揺れする場合、変位体は、抵抗付与手段により付与される抵抗力により、支持部よりも遅れて横揺れする。この結果、支持部の横揺れは減衰されて変位体に伝達され、吊下コードの揺れは抑制される。
【０００９】
前記の構成において、前記支持部は、前記変位体を全水平方向に変位させるとよい。
前記の構成において、前記変位体は、球面状の凸状下面を有する構成であり、前記支持部は、前記変位体が変位可能な状態にその凸状下面を支持する支持部材であるとよい。
【発明の効果】
【００１３】
この発明の天井部の吊下装置によれば、建物等の揺れによる被吊下部材の揺れを有効に抑制することができるという効果を発揮する。
【図面の簡単な説明】
【００１４】
【図１】第１実施形態の天井部の吊下装置を示す正面図。
【図２】吊下装置を示す分解斜視図。
【図３】図２におけるａ−ａ線断面図。
【図４】図２におけるｂ−ｂ線断面図。
【図５】吊下装置の作動状態を示す断面図。
【図６】他の実施形態の吊下装置を示す断面図。
【図７】第２実施形態の天井部の吊下装置を示す分解斜視図。
【図８】図７におけるｃ−ｃ線断面図。
【図９】吊下装置の作動状態を示す断面図。
【図１０】他の実施形態の吊下装置を示す断面図。
【図１１】第３実施形態の天井部の吊下装置を示す分解斜視図。
【図１２】図１１におけるｄ−ｄ線断面図。
【図１３】他の実施形態の吊下装置を示す断面図。
【図１４】（ａ）は従来の吊下装置を示す正面図、（ｂ）は吊下装置の作動状態を示す模式図。
【発明を実施するための形態】
【００１５】
（第１実施形態）
以下に、この発明を具体化した天井部の吊下装置の第１実施形態を図１〜図５に従って説明する。
【００１６】
図１及び図２に示すように、この実施形態の天井部の吊下装置１０は、建物や船舶等の部屋、廊下、ホール等における天井部Ｃの上面に支持され、被吊下部材としての照明器具Ｌを吊下コードＷを介して吊り下げ支持している。
【００１７】
図３及び図４に示すように、吊下装置１０は、天井部Ｃの上面に固定された略円板状の基板１１を備え、この基板１１の中央には、吊下コードＷを通すための開口部１１ａが形成されている。基板１１上における開口部１１ａの周囲の４箇所には、支持部及び支持部材としてのボールローラ１２が上向きに配置されている。４つのボールローラ１２上には、球面状の凸状下面１３ａ及び凹状上面１３ｂを有する鉢状の変位体１３が支持されている。従って、変位体１３は、４つのボールローラ１２により変位可能な状態に支持されている。この変位体１３の中央部には、前記吊下コードＷが前記開口部１１ａを通じて固定されている。
【００１８】
基板１１上には支持板１４が取着され、この支持板１４の下面の４箇所には、前記ボールローラ１２に対応する位置に抵抗付与手段としてのスプリングプランジャ１５が下向きに固定支持されている。そして、各スプリングプランジャ１５の先端のボール１５ａは、自重及び図示しないスプリングの付勢力により変位体１３の球面状の凹状上面１３ｂに当接されている。従って、変位体１３は、４つのボールローラ１２と４つのスプリングプランジャ１５とにより、図３及び図４に二点鎖線で示すように、球面状の凸状下面１３ａの形状に従う円軌道に沿って変位可能に保持されている。さらに、変位体１３は、その中央部に接続された吊下コードＷを介して加わる照明器具Ｌの荷重により、図３及び図４に実線で示す移動範囲の中心部の初期位置に誘導されて、同位置で保持される。
【００１９】
次に、前記のように構成された第１実施形態の天井部の吊下装置の作用を説明する。
建物等の揺れにより天井部Ｃが小刻みに横揺れすると、図５に示すように、４つのボールローラ１２に支持されている変位体１３は、照明器具Ｌ等の重量や、スプリングプランジャ１５,ボールローラ１２から受ける抵抗に基づく慣性によりほぼ定位置を保持する。従って、変位体１３及び照明器具Ｌ等は、天井部Ｃ上の基板１１に対して初期位置から横揺れ方向へ相対変位するものの、実際には殆ど揺れず、元の位置に留まる。
【００２０】
次に、長周期振動により天井部Ｃが大きな振幅でゆっくり横揺れする場合は、変位体１３はスプリングプランジャ１５及びボールローラ１２から付与される抵抗により、天井部Ｃの揺れから遅れて横揺れする。従って、天井部Ｃの横揺れは変位体１３に伝達されるが、そのエネルギーは減衰されるとともに、天井部Ｃの横揺れが反転した場合は変位体１３の横揺れは打ち消される。このため、照明器具Ｌの横揺れが抑制される。
【００２１】
以上のように、建物等が小刻みに揺れたり、大きく揺れたりするどちらの場合であっても、照明器具Ｌの揺れを抑制することができて、照明器具Ｌや壁の破損を防止できる。
従って、この実施形態によれば、以下のような効果を得ることができる。
【００２２】
（１）  この実施形態の天井部の吊下装置１０においては、天井部Ｃに設けた基板１１上のボールローラ１２に、吊下コードＷを介して照明器具Ｌを吊り下げる変位体１３を水平方向に変位可能に支持させた。さらに、変位体１３の変位に対して抵抗力を付与するスプリングプランジャ１５を設けた。従って、天井部Ｃが小刻みに揺れるときには、基板１１に対して変位体１３が慣性によりほぼ定位置を保持し、天井部Ｃが大きく揺れるときには、基板１１に対して変位体１３が遅れて横揺れする。この結果、天井部Ｃの横揺れによる照明器具Ｌの横揺れを有効に抑制することができる。
【００２３】
つまり、この実施形態は特許文献１の技術とは異なり、照明器具Ｌ等の固有振動数の影響を受けることなく、照明器具Ｌの横揺れ防止に有効である。
（２）  この実施形態の天井部の吊下装置１０においては、４つのボールローラ１２により支持された変位体１３は、天井部Ｃの横揺れ方向に応じた全水平方向へ変位することができる。従って、建物等の横揺れ方向がどの方向であっても、照明器具Ｌの揺れを有効に抑制できる。
【００２４】
（第２実施形態）
次に、この発明を具体化した天井部の吊下装置の第２実施形態を図７〜図９に従って説明する。
【００２５】
この実施形態の吊下装置１０は、第１実施形態と同様に、建物等における天井部Ｃの上面に設置され、吊下コードＷを介して照明器具Ｌを吊り下げ支持するようになっている。
図７及び図８に示すように、吊下装置１０は、天井部Ｃの上面に固定される有底円筒状の基部２１を備え、この基部２１の底板中央には、吊下コードＷを通すための開口部２１ａが形成されている。
【００２６】
基部２１の底板中央には、互いに径の異なる複数枚の円環状の磁性金属円板２２ａ，２２ｂ，２２ｃ，２２ｄが径の大きなものほど下側に位置するように、かつ、全体として開口部２１ａを覆うように重ね合わされている。この磁性金属円板２２ａ〜２２ｄの適宜な位置には、永久磁石２３が固着されている。各磁性金属円板２２ａ〜２２ｄは、この永久磁石２３の磁力により互いに吸着されている。そして、磁性金属円板２２ａ〜２２ｄの中央孔には、吊下コードＷが挿通されている。この実施形態では、磁性金属円板２２ａ〜２２ｄ及び永久磁石２３が抵抗付与手段を構成する。
【００２７】
また、磁性金属円板２２ａ〜２２ｄの上方には、基部２１の上側開口部周縁から吊り下げられた多段振り子２４が設けられている。多段振り子２４は、互いに異なる径であって同心状に配置された複数の円環状の環状重り２４ａ，２４ｂ，２４ｃと、この環状重り２４ａ〜２４ｃの中央に配置された変位体としての短円柱状の中央重り２４ｄとを備えている。環状重り２４ａ〜２４ｃは、外側から順にコード２５により吊り下げられ、中央重り２４ｄは、環状重り２４ｃにコード２５により吊り下げられている。中央重り２４ｄには、照明器具Ｌの吊下コードＷの上端側が固定されている。従って、中央重り２４ｄは、環状重り２４ａ〜２４ｃにより、図８に二点鎖線で示すように、３６０度範囲の全水平方向へ変位可能な状態で支持されている。さらに、中央重り２４ｄは、多段振り子２４により、図８に実線で示す初期位置に保持される。このため、中央重り２４ｄは、初期位置から全水平方向へ変位可能とされている。なお、基部２１の上側開口部は、蓋２６により覆われる。
【００２８】
次に、前記のように構成された第２実施形態の天井部の吊下装置の作用を説明する。
建物等の揺れにより天井部Ｃが小さい振幅で小刻みに横揺れすると、図９に示すように、多段振り子２４により支持されている中央重り２４ｄは、基部２１に対して水平方向の初期位置から横揺れ方向へ相対変位して、多段振り子２４の慣性及び磁性金属円板２２ａ〜２２ｄの吸着抵抗によりほぼ定位置を保持する。従って、中央重り２４ｄに吊下コードＷを介して吊り下げられている照明器具Ｌもほぼ定位置を保持する。
【００２９】
次に、長周期振動により天井部Ｃが大きな振幅でゆっくり横揺れする場合、中央重り２４ｄは、吊下コードＷを介して磁性金属円板２２ａ〜２２ｄどうしの吸着抵抗から付与される引っ張り抵抗により、基部２１から遅れて横揺れする。従って、基部２１の横揺れは中央重り２４ｄに伝達されるが、そのエネルギーは減衰されるとともに、天井部Ｃの横揺れが反転した場合は中央重り２４ｄの横揺れは打ち消される。このため、照明器具Ｌの横揺れが抑制される。
【００３０】
従って、この実施形態によれば、前記第１実施形態の（１），（２）の効果を得ることができる。
（第３実施形態）
次に、この発明を具体化した天井部の吊下装置の第３実施形態を図１１及び図１２に従って説明する。
【００３１】
この実施形態の吊下装置１０も、第１実施形態と同様に、建物等における天井部Ｃの上面に設置され、吊下コードＷを介して照明器具Ｌを吊り下げ支持するようになっている。
図１１及び図１２に示すように、吊下装置１０の基部２１の底板上中央には、支持部としての球面軸受３１が開口部２１ａを覆うように固定されている。球面軸受３１は、凹状球面を有し、基部２１上に固定される固定部３２と、この固定部３２により揺動可能に支持される変位体としての球体状の揺動部３３とにより構成されている。この揺動部３３には、パイプ３４が挿通状態で固定され、このパイプ３４には、吊下コードＷが挿通固定されている。従って、揺動部３３及びパイプ３４は、図１２に二点鎖線で示すように、球面軸受３１の中心を中心とした全ての方向へ変位可能に支持されている。さらに、揺動部３３及びパイプ３４は、吊下コードＷを介して加わる照明器具Ｌの荷重により、図１２に実線で示す揺動範囲の中心の初期位置に保持される。
【００３２】
また、パイプ３４の下端には、吊下コードＷの局所的な過度の屈曲や摩擦による破損を防止するためのコイルばね３５が取り付けられている。一方、パイプ３４の上端には、抵抗付与手段としてのスプリングプランジャ３６が上向きに固定されている。
【００３３】
球面軸受３１の上方には、蓋２６の下面に位置する逆鉢状の被接触体３７が固定されている。被接触体３７の凹状下面３７ａには、前記パイプ３４に支持されたスプリングプランジャ３６のボール３６ａが弾性的に当接されている。すなわち、被接触体３７の凹状下面３７ａには、球面軸受３１の揺動部３３が揺動してもスプリングプランジャ３６のボール３６ａが常時弾性的に当接する。この実施形態では、スプリングプランジャ３６及び被接触体３７が抵抗付与手段を構成する。
【００３４】
次に、前記のように構成された第３実施形態の天井部の吊下装置の作用を説明する。
建物等の揺れにより天井部Ｃが小さい振幅で小刻みに横揺れすると、図１２に示すように、吊下コードＷ及びパイプ３４を介して球面軸受３１に支持されている照明器具Ｌは、天井部Ｃに対して水平方向の初期位置から横揺れ方向へ相対変位するが、自身の慣性及びスプリングプランジャ３６のボール３６ａの接触抵抗によりほぼ定位置を保持する。
【００３５】
次に、長周期振動により天井部Ｃが大きな振幅でゆっくり横揺れする場合は、揺動部３３及びパイプ３４はスプリングプランジャ３６と被接触体３７との間の転がり抵抗を含む接触抵抗により、天井部Ｃの横揺れから遅れて揺動する。従って、天井部Ｃの横揺れは揺動部３３及びパイプ３４に減衰されて伝達されるとともに、天井部Ｃの横揺れが反転した場合は球面軸受３１の揺動部３３の部分の横揺れは打ち消される。このため、照明器具Ｌの横揺れが抑制される。
【００３６】
従って、この実施形態によれば、前記第１実施形態の（１），（２）の効果を得ることができる。
（他の実施形態）
なお、この実施形態は、次のように変更して具体化することも可能である。
【００３７】
・  前記各実施形態において、吊下装置１０を、建物、船舶等の部屋、廊下、ホール等の天井部Ｃの下面に設置すること。
・  前記スプリングプランジャ１５，３６に代えて、スプリングや自重により付勢された状態で変位体１３の凹状上面１３ｂに当接され、変位体１３の変位に伴って凹状上面１３ｂに摺接する摩擦付与部材（抵抗付与手段）を採用すること。この摩擦付与部材の材質は限定されるものではなく、合成樹脂、金属、セラミック等、いずれでもよい。あるいは、合成樹脂や金属の表面に硬化処理等の表面処理を施してもよい。そして、摩擦付与部材は、照明器具Ｌの重量等の条件に応じた摩擦係数のものが用いられる。
【００３８】
・  第１実施形態において、球面状の凸状下面１３ａを有する変位体１３と、ボールローラ１２とに代えて、図６に示すように、円筒面形状の凸状下面１３ａを有する変位体１３と、その凸状下面１３ａに当接するローラ１６とを採用する。この構成は、一方向の横揺れに対して、照明器具Ｌの揺れが抑制されるため、一方向に横揺れする傾向の建物において適する。
【００３９】
・  第１実施形態において、変位体１３を支持するボールローラ１２の数を３または５以上とすること。
・  第１実施形態において、変位体１３の凹状上面１３ｂに当接するスプリングプランジャ１５の数を１，２，３または５以上とすること。
【００４０】
・  第２実施形態において、図１０に示すように、１枚の磁性金属円板２２ａにより抵抗付与手段を構成すること。
・  第３実施形態において、図１３に示すように、球面状の凹状下面３７ａを有する被接触体３７に代えて、円筒面形状の凹状下面３７ａを有する被接触体３７を採用すること。この構成は、一方向の横揺れに対して、照明器具Ｌの揺れが抑制されるため、一方向に横揺れする傾向の建物において適する。
【００４１】
・  この発明を、照明器具Ｌ以外の被吊下部材、例えばスピーカを被吊り下げとした吊下装置に具体化すること。
・  基板１１や基部２１を設けることなく、吊下装置を天井部Ｃに直接支持すること。従って、この構成の場合は、天井部Ｃが吊下装置の支持部を構成する。
【符号の説明】
【００４２】
Ｃ…天井、Ｌ…被吊下部材としての照明器具、Ｗ…吊下コード、１０…吊下装置、１２…支持部及び支持部材としてのボールローラ、１３…変位体、１３ａ…凸状下面、１３ｂ…凹状上面、１５…速度抑制手段及び抵抗付与手段としてのスプリングプランジャ、２２ａ〜２２ｄ…抵抗付与手段としての磁性金属円板、２３…同じく永久磁石、２４…支持部としての多段振り子、２４ｄ…変位体としての中央重り、３１…支持部としての球面軸受、３３…変位体としての揺動部、３６…抵抗付与手段としてのスプリングプランジャ、３７…同じく被接触体、３７ａ…凹状下面。
【図１】
0005821396.tif 000002
【図２】
0005821396.tif 000003
【図３】
0005821396.tif 000004
【図４】
0005821396.tif 000005
【図５】
0005821396.tif 000006
【図６】
0005821396.tif 000007
【図７】
0005821396.tif 000008
【図８】
0005821396.tif 000009
【図９】
0005821396.tif 000010
【図１０】
0005821396.tif 000011
【図１１】
0005821396.tif 000012
【図１２】
0005821396.tif 000013
【図１３】
0005821396.tif 000014
【図１４】
0005821396.tif 000015